(57)【要約】【課題】温風暖房と輻射暖房を簡単に切り替えられるようにするとともに、燃焼開始時および燃焼停止時の臭気を低減し、快適性の高い暖房機の実現を目的としたものである。【解決手段】燃焼開始制御部３７は燃焼開始時に燃焼部２１で生じた高温ガスを輻射体２３側に切り替えた輻射暖房運転の条件で着火し、燃焼部２１の燃焼が安定した所定時間後に操作部３２で設定された条件に基づいて高温ガス切替手段３１を切替えて、輻射暖房運転のままかあるいは温風暖房運転とするようにしてあるので、燃焼開始時は必ず輻射暖房運転の条件で着火するようになっていて、使用者は常に臭気が低い条件で燃焼開始でき、使用感が向上するようになる。【選択図】  図１
2004293860.tif 000002
【特許請求の範囲】
【請求項１】
燃料を燃焼させる燃焼部と、燃焼部で生じた高温ガスにより加熱される採熱面を有しその採熱した熱を輻射エネルギーとして発生する輻射体と、空気流を供給する送風手段と、前記送風手段からの空気流と燃焼部で生じた高温ガスを混合し温風として排出する温風吹出口と、前記燃焼部で生じた高温ガスを輻射体側へ切り替えたときに輻射暖房モードとし温風吹出口側へ切り替えたときに温風暖房モードとする高温ガス切替手段と、運転条件等を設定する操作部と、操作部で設定された条件に基づいて機器の燃焼部等を制御する制御部とを備え、前記制御部は燃焼開始時に前記高温ガス切替手段を輻射体側に切り替えた輻射暖房モードの条件で着火動作を行い、所定時間後に操作部で設定された条件の暖房モードに切り替える燃焼開始制御部を有した暖房装置。
【請求項２】
高温ガス切替手段は、送風手段からの室内空気流を切り替えて高温ガスの流れを輻射体側あるいは温風吹出口側に切り替える構成とした請求項１記載の暖房装置。
【請求項３】
輻射体は、その採熱面の全体あるいは一部に空気浄化させる触媒機能を担持してなる請求項１または２記載の暖房装置。
【請求項４】
制御部は、輻射暖房モードで燃焼停止した場合はそのまま消火動作を行い、温風暖房モードで燃焼停止した場合は消火動作と同時に高温ガス切替手段を輻射体側へ切り替える燃焼停止制御部を有した請求項１〜３のいずれか１項記載の暖房装置。
【請求項５】
制御部は、輻射暖房モードで燃焼停止した場合はそのまま消火動作を行い、温風暖房モードで燃焼停止した場合は高温ガス切替手段を輻射体側へ切り替えた後に消火動作を行う燃焼停止制御部を有した請求項１〜３のいずれか１項記載の暖房装置。
【発明の詳細な説明】
【０００１】
【発明の属する技術分野】
本発明は、輻射熱と温風を用いた暖房装置の着火・消火動作に関するものである。
【０００２】
【従来の技術】
従来の温風による暖房は、部屋が寒いときなどに一気に室温を立ち上げるときは有効であり、また、輻射による暖房は室内全体は暖まるのに時間がかかるが、気流感を感じない暖房として根強い人気がある。そして、近年、暖房使用者の要求は、温風が巻き上げるダニの糞等のアレルゲン物質の問題もあり、温風を使った暖房では気流感が嫌われる傾向が生じてきた。
【０００３】
そこで、下記に示すような輻射熱と温風を用いた暖房装置の開発がなされた。図５〜図７を用いて説明すると、１は燃料を燃焼させる燃焼部で、この燃焼部１で生じた燃焼排ガスを上方へ導くように配設した燃焼筒２で覆われていて、この燃焼部１と燃焼筒２で高温ガスを発生させる高温ガス発生手段を形成している。
【０００４】
３は、輻射体加熱風路４を流れるの高温の燃焼排ガスをその採熱面５で採熱し、その採熱した熱を輻射エネルギーとして発生する輻射体である。
【０００５】
６は、輻射体加熱風路４と機器筐体７の間に空気流を流し、輻射暖房運転時に機器筐体７への熱伝導を低減する輻射手段冷却風路で、この輻射手段冷却風路６を流れる空気流を該機器の前方上方へ排出して、部屋の空気の循環流を形成するようにしてある。
【０００６】
８は、輻射手段冷却風路６下方に位置させ、輻射体３の下部に配置した温風吹出口で、燃焼部１生じた燃焼排ガスと室内空気流を混合して温風として排出するようになっている。
【０００７】
９は、室内空気を空気流として供給する送風手段で、この空気流は本体冷却風路１０を介して高温ガス切替手段１１で、輻射手段冷却風路６側かあるいは温風吹出口８側へ切り替えられ、流れていくようになっている。
【０００８】
１２は、該機器の運転条件を設定する操作部で、高温ガス切替手段１１で燃焼部１で生じた高温ガスを輻射体３側かあるいは温風吹出口８側へ切り替える手動切替ボタン１３と、予め設定された条件に基づいて輻射暖房運転と温風暖房運転を自動的に切り替える自動切替ボタン１４を有している。
【０００９】
１５は制御部で、上記送風手段９の吸い込み口に配設し該機器で部屋の代表温度として温度検出する温度検出手段１６で検知した室温や操作部で設定された運転条件等に基づいて送風手段８や高温ガス切替手段１１をあらかじめ決められたシーケンスでコントロールするようにしてある。
【００１０】
上記した構成において、高温ガス切替手段１１で送風手段９からの空気流を輻射手段冷却風路６側へ切り替えたときには輻射暖房運転となり、輻射手段冷却風路６の入り口を開口し、送風手段９からの空気流が輻射手段冷却風路６へ流れ、燃焼部１で生じた燃焼排ガスは、下方へ流れる力が働かなり、燃焼筒２の上方へ流れていき、その熱によるドラフトでさらに上方へ流れ、輻射体加熱風路４へ導かれるようになる。
【００１１】
そして、燃焼部１で生じた高温の燃焼排ガスで輻射体３の採熱面５を高温とし、その採熱面５で採熱した熱を輻射体３より輻射エネルギーとして発生し、輻射暖房をすることができるようになる。またそれと同時に、輻射手段冷却風路６へ流れた空気流が該機器の前方上方へ温風として排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００１２】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００１３】
また、高温ガス切替手段１１で送風手段９からの空気流を温風吹出口８側へ切り替えたときには温風暖房運転となり、輻射手段冷却風路６の入り口を閉塞して、送風手段９からの空気流が燃焼筒２の前面下方へ流れ燃焼部１で生じた燃焼排ガスを温風吹出口８側へ導き、送風手段９からの空気流と燃焼部１で生じた燃焼排ガスを混合して、温風として温風吹出口８からを排出する温風暖房をすることができるようになる。
【００１４】
また、制御部１５は、温度検出手段１６で検知した室温や操作部１２で設定された手動運転モード切替手段１３や自動運転モード切替手段１４等の運転条件等に基づいて送風手段８や高温ガス切替手段１１をあらかじめ決められたシーケンスで制御するようになっている（例えば、特許文献１参照）。
【００１５】
【特許文献１】
特開２００１−１５０６１号公報（第４頁、第１図〜３図）
【００１６】
【発明が解決しようとする課題】
しかしながら上記従来の構成においては、運転モードが輻射暖房運転と温風暖房運転と２通りあり、燃焼開始時および燃焼停止時は、どちらの運転モードでもできるようになっていて、特に、この温風暖房運転時は輻射暖房運転時に比べ、使用者が燃焼開始時および燃焼停止時の臭気を感じやすい傾向があり、また、燃焼開始時は、室温を立ち上げるときに有効な温風暖房運転をする場合が多くなり、暖房開始時に臭気を多く感じやすいというデメリットが考えられた。
【００１７】
つまり、温風暖房運転時には送風手段９からの空気流が燃焼筒２の前面下方へ流れ燃焼部１で生じた燃焼排ガスを温風吹出口８側へ導くようになっていて、燃焼筒２内の燃焼排ガスが早く排出されるようになる。また、燃焼開始時および燃焼停止時には、燃焼部１の燃焼は燃焼バランスが崩れ未燃ガスを生じやすく、この未燃ガスは、燃焼筒２内で殆ど燃焼完結されるが、ごく一部が排出され臭気として、室内へ放出される。
【００１８】
そして、温風暖房運転時には、燃焼筒２内の燃焼排ガスが早く排出されるので、燃焼開始時および燃焼停止時の燃焼部１で生じる未燃ガスが燃焼完結される前に、送風手段９からの空気流に混ざり、燃焼完結されないまま室内に放出されやすく、さらに、放出された未燃ガスは部屋の居住空間を暖める温風に混ざって部屋中に拡散され、使用者は臭気を多く感じるようになる。
【００１９】
そこで本発明は、温風暖房モードと輻射暖房モードを切り替えられる暖房機において、燃焼開始時および燃焼停止時に未燃ガスによる臭気を使用者が感じにくい輻射暖房モードで常に行うようにして、燃焼開始時および燃焼停止時の臭気を低減し、快適性の高い暖房機の実現を目的としたものである。
【００２０】
【課題を解決するための手段】
本発明は上記課題を解決するため、燃料を燃焼させる燃焼部と、燃焼部で生じた高温ガスにより加熱される採熱面を有しその採熱した熱を輻射エネルギーとして発生する輻射体と、空気流を供給する送風手段と、前記送風手段からの空気流と燃焼部で生じた高温ガスを混合し温風として排出する温風吹出口と、前記燃焼部で生じた高温ガスを輻射体側へ切り替えたときに輻射暖房モードとし温風吹出口側へ切り替えたときに温風暖房モードとする高温ガス切替手段と、運転条件等を設定する操作部と、操作部で設定された条件に基づいて機器の燃焼部等を制御する制御部とを備え、前記制御部は燃焼開始時に前記高温ガス切替手段を輻射体側に切り替えた輻射暖房モードの条件で着火動作を行い、所定時間後に操作部で設定された条件の暖房モードに切り替える燃焼開始制御部を有する構成としてある。
【００２１】
上記発明によれば、燃焼開始制御部は燃焼開始時に燃焼部で生じた高温ガスを輻射体側に切り替えた輻射暖房運転モードの条件で着火し、燃焼部の燃焼が安定した所定時間後に操作部で設定された条件に基づいて高温ガス切替手段を切替えて、輻射暖房運転モードのままか、あるいは温風暖房運転モードとするようにしてあるので、燃焼開始時は必ず輻射暖房運転モードの条件で着火するようになっていて、使用者は常に臭気が低い条件で燃焼を開始でき、使用感が向上するようになる。
【００２２】
つまり、燃焼開始時の輻射暖房運転モードは、燃焼部で生じた高温ガスを高温ガス切替手段で輻射体側へ切り替えた条件で着火するようになっていて、燃焼部で生じた燃焼排ガスの高温ガスは、送風手段からの空気流が作用せず、ドラフトで燃焼筒から上方へ流れ、輻射体へ導かれるようになる。そして、燃焼部で生じた着火時の未燃ガスはその熱によるドラフトで燃焼筒内を上方へゆっくりと流れていく過程で殆ど燃焼完結するようになり、未燃ガスは室内に放出される量が少なく、さらに、放出された未燃ガスは機器の上方に排出されるようにしてあるので、使用者の居住空間にはあまり到達せず、使用者は臭気をあまり感じないで使用できるようになり、使用感が大幅に向上する。
【００２３】
【発明の実施の形態】
請求項１記載の暖房装置は、燃焼開始時に、燃焼部で生じた高温ガスを輻射体側に切り替えた輻射暖房運転モードの条件で着火動作を行い、所定時間後に操作部で設定された運転モードに切り替える燃焼開始制御部を設けたことを特徴とするものである。
【００２４】
そして、燃焼開始時は必ず輻射暖房運転モードの条件で着火するようにして、常に臭気が低い条件で燃焼を開始させるようにして、使用感の向上を図るものである。
【００２５】
つまり、燃焼開始時の輻射暖房運転モードでは、燃焼部で生じた高温ガスを高温ガス切替手段で輻射体側へ切り替えた条件で着火するようになっていて、燃焼部で生じた燃焼排ガスの高温ガスは、送風手段からの空気流が作用せず、ドラフトで燃焼筒から上方へ流れ輻射体へ導かれるようになる。そして、燃焼部で生じた着火時の未燃ガスはその熱によるドラフトで燃焼筒内を上方へゆっくりと流れていく過程で殆ど燃焼完結するようになり、未燃ガスは室内に放出される量が少なく、さらに、放出された未燃ガスは機器の上方に排出されるようにしてあるので、使用者の居住空間にはあまり到達せず、使用者は臭気をあまり感じないで使用できるようになり、使用感が大幅に向上する。
【００２６】
また、請求項２記載の暖房装置は、高温ガス切替手段は、送風手段からの室内空気流を切り替えて高温ガスの流れを輻射体側あるいは温風吹出口側に切り替える構成としてある。
【００２７】
そして、高温ガス切替手段は、送風手段からの室内空気流を切り替えて高温ガスの流れを輻射体側あるいは温風吹出口側に切り替える構成としてあり、簡単な構成で快適性の高い暖房装置を実現することができる。
【００２８】
また、請求項３記載の暖房装置は、輻射体は、その採熱面の全体あるいは一部に空気浄化させる触媒機能を担持した構成としてある。
【００２９】
そして、上記輻射体は、その採熱面の全体あるいは一部に空気浄化させる触媒機能を担持してあるので、輻射暖房運転時において、広い面を有する輻射体に触媒の担持された採熱面に沿って燃焼排ガスが上昇していき、その間燃焼排ガスは触媒の作用で浄化されるようになり、つまり、高温の広い面で長い時間燃焼排ガスが触媒面に接するようになり、触媒の効果を最も効果的に引き出すことができるようになり、空気浄化が促進される。
【００３０】
また、燃焼開始時および燃焼停止時の燃焼部で生じた未燃ガスも同様に、広い面を有する輻射体に触媒の担持された採熱面に沿って燃焼排ガスが上昇していき、その間燃焼排ガスは触媒の作用で浄化されるようになり、つまり、高温の広い面で長い時間燃焼排ガスが触媒面に接するようになり、触媒の効果を最も効果的に引き出すことができるようになり、臭気の低減を図ることができる。
【００３１】
また、請求項４記載の暖房装置は、制御部は、輻射暖房運転モードで燃焼停止した場合はそのまま消火動作を行い、温風暖房運転モードで燃焼停止した場合には消火動作と同時に高温ガス切替手段を輻射体側へ切り替える燃焼停止制御部を有する構成としてある。
【００３２】
そして、燃焼停止制御部は、輻射暖房運転モードで燃焼停止時にはそのまま消火動作を行い、温風暖房運転モードで燃焼停止時には消火動作と同時に高温ガス切替手段を輻射体側へ切り替えるするので、使用者は常に臭気が低い条件で燃焼停止でき、使用感が向上するようになる。
【００３３】
つまり、輻射暖房運転モードでの燃焼停止時は、燃焼部で生じた高温ガスを高温ガス切替手段で輻射体側へ切り替えた条件で消火するようになっていて、燃焼部で生じた燃焼排ガスの高温ガスは、送風手段からの空気流が作用せずの、ドラフトで燃焼筒から上方へ流れ、輻射体へ導かれるようになる。そして、燃焼部で生じた消火時の未燃ガスはその熱によるドラフトで燃焼筒内を上方へゆっくりと流れていく過程で殆ど燃焼完結するようになり、未燃ガスは室内に放出される量が少なく、さらに、放出された未燃ガスは機器の上方に排出されるようにしてあるので、使用者の居住空間にはあまり到達せず、使用者は臭気をあまり感じないで使用出来るようになる。
【００３４】
また、温風暖房運転モードでの燃焼停止時は、燃焼部で生じた高温ガスを高温ガス切替手段で温風吹出口側へ切り替えた条件で消火するが、消火動作と同時に高温ガス切替手段を輻射体側へ切り替えるようになっていて、燃焼部で生じた燃焼排ガスの高温ガスは、遅れながらも、燃焼筒周囲に送風手段からの空気が流れなくなり、輻射暖房運転モードでの燃焼停止時の条件に近い効果が得られ、使用者は臭気をあまり感じないで使用出来るようになり、使用感が大幅に向上する。
【００３５】
また、請求項５記載の暖房装置は、制御部は、輻射暖房運転モードの燃焼停止時にはそのまま消火動作し、温風暖房運転モードの燃焼停止時には高温ガス切替手段を輻射体側へ切り替えた後に消火動作する燃焼停止制御部を有する構成としてある。
【００３６】
そして、燃焼停止制御部は、輻射暖房運転モードの燃焼停止時にはそのまま消火動作し、温風暖房運転モードの燃焼停止時には高温ガス切替手段を輻射体側へ切り替えた後に消火動作するようにしてあるので、燃焼停止時は必ず輻射暖房運転モードの条件で消火するようになっていて、使用者は常に臭気が低い条件で燃焼開始でき、使用感が向上するようになる。
【００３７】
【実施例】
以下、本発明の実施例について図面を用いて説明する。
【００３８】
（実施例１）
図１は本発明の実施例１の暖房装置の輻射暖房運転時の断面図、図２は温風暖房運転時の暖房装置の断面図、図３は制御ブロック図である。
【００３９】
図１〜図３において、２１は燃料を燃焼させる燃焼部で、この燃焼部２１で生じた燃焼排ガスを上方へ導くように配設した燃焼筒２２で覆われていて、この燃焼部２１と燃焼筒２２で高温ガスを発生させる高温ガス発生手段を形成している。
【００４０】
２３は、輻射体加熱風路２４を流れる高温の燃焼排ガスの熱をその採熱面２５で採熱し、その採熱した熱を輻射エネルギーとして発生する輻射体であり、輻射体２３の採熱面２５表面全体に空気を浄化させる触媒機能を担持してある。
【００４１】
２６は、輻射体加熱風路２４と機器筐体２７の間に空気流を流し、輻射暖房運転時に機器筐体２７への熱伝導を低減する輻射手段冷却風路で、この輻射手段冷却風路２６を流れる空気流を該機器の前方上方へ排出して、部屋の空気の循環流を形成するようにしてある。
【００４２】
２８は、輻射手段冷却風路２６下方に位置させ、輻射体２３の下部に配置した温風吹出口で、燃焼部２１生じた燃焼排ガスと室内空気流を混合して温風として排出するようになっている。
【００４３】
２９は、室内空気を空気流として供給する送風手段で、この空気流は本体冷却風路３０を介して高温ガス切替手段３１で、輻射手段冷却風路２６側かあるいは温風吹出口２８側へ切り替えられ、流れていくようになっている。
【００４４】
３２は、該機器の運転条件を設定する操作部で、高温ガス切替手段３１で燃焼部で生じた高温ガスを輻射体側かあるいは温風吹出口側へ切り替える切替ボタン３３と手動で輻射暖房運転か温風暖房運転かに切り替えたことを表示する表示機能（ＬＥＤ）３４からなる運転モード切替手段を有している。
【００４５】
３５は制御部で、上記送風手段２９の吸い込み口に配設し該機器で部屋の代表温度として温度検出する温度検出手段３６で検知した室温や操作部で設定された運転条件等に基づいて送風手段２８や高温ガス切替手段３１をあらかじめ決められたシーケンスで制御する制御部である。
【００４６】
制御部３５には燃焼開始時にあらかじめ決められたシーケンスで制御する燃焼開始制御部３７と燃焼停止時にあらかじめ決められたシーケンスで制御する燃焼停止制御部３８が配設してあり、制御部３５の燃焼開始制御部３７は、燃焼開始時に燃焼部で生じた高温ガスを輻射体２３側に切り替えた輻射暖房運転の条件で着火し、燃焼部の燃焼が安定した所定時間後に操作部３２で設定された条件に基づいて高温ガス切替手段３１を切替えて、輻射暖房運転のままかあるいは温風暖房運転とするようにしてようにある。
【００４７】
また、燃焼停止制御部３８は、輻射暖房運転の燃焼停止時にはそのまま消火動作し、温風暖房運転の燃焼停止時には消火動作と同時に高温ガス切替手段３１を輻射体２３側へ切り替えるようにあらかじめ決められたシーケンスで制御するしてようにある。
【００４８】
上記した構成において、高温ガス切替手段３１で送風手段２９からの空気流を輻射手段冷却風路２６側へ切り替えたときには輻射暖房運転となり、輻射手段冷却風路２６の入り口を開口し、送風手段２９からの空気流が輻射手段冷却風路２６へ流れ、燃焼部２１で生じた燃焼排ガスは、下方へ流れる力が働かなり、燃焼筒２２の上方へ流れていき、その熱によるドラフトでさらに上方へ流れ、輻射体加熱風路２４へ導かれるようになる。
【００４９】
そして、燃焼部２１で生じた高温の燃焼排ガスで輻射体２３の採熱面２５を高温とし、その採熱面２５で採熱した熱を輻射体２３より輻射エネルギーとして発生し、輻射暖房をすることができるようになる。またそれと同時に、輻射手段冷却風路２６へ流れた空気流が該機器の前方上方へ温風として排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００５０】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００５１】
また、高温ガス切替手段３１で送風手段２９からの空気流を温風吹出口２８側へ切り替えたときには温風暖房運転となり、輻射手段冷却風路２６の入り口を閉塞して、送風手段２９からの空気流が燃焼筒２２の前面下方へ流れ燃焼部２１で生じた燃焼排ガスを温風吹出口２８側へ導き、送風手段２９からの空気流と燃焼部２１で生じた燃焼排ガスを混合して、温風として温風吹出口２８からを排出する温風暖房をすることができるようになる。
【００５２】
また、制御部３５は、温度検出手段３６で検知した室温や操作部３２で設定された運転モード切替手段等の運転条件等に基づいて送風手段２８や高温ガス切替手段３１をあらかじめ決められたシーケンスで制御するようになっている。
【００５３】
ここで、燃焼開始制御部３７は燃焼開始時に燃焼部で生じた高温ガスを輻射体２３側に切り替えた輻射暖房運転の条件で着火し、燃焼部２１の燃焼が安定した所定時間後に操作部３２で設定された条件に基づいて高温ガス切替手段３１を切替えて、輻射暖房運転のままかあるいは温風暖房運転とするようにしてあるので、燃焼開始時は必ず輻射暖房運転の条件で着火するようになっていて、使用者は常に臭気が低い条件で燃焼開始でき、使用感が向上するようになる。
【００５４】
つまり、燃焼開始時の輻射暖房運転での条件は、燃焼部２１で生じた高温ガスを高温ガス切替手段３１で輻射体２３側へ切り替えた条件で着火するようになっていて、燃焼部２１で生じた燃焼排ガスの高温ガスは、送風手段２９からの空気流の力が働かないので、下方へ流れる力が働かず、その熱によるドラフトで、燃焼筒２２からさらに上方へ流れ、輻射体２３へ導かれるようになる。そして、燃焼部２１で生じた着火時の未燃ガスはその熱によるドラフトで燃焼筒２２内を上方へゆっくりと流れていく過程で殆ど燃焼完結するようになり、未燃ガスは室内に放出される量が少なく、さらに、放出された未燃ガスは機器２７の上方に排出されるようにしてあるので、使用者の居住空間にはあまり到達せず、使用者は臭気をあまり感じないで使用出来るようになり、使用感が大幅に向上する。
【００５５】
また、燃焼停止制御部３８は、輻射暖房運転の燃焼停止時にはそのまま消火動作し、温風暖房運転の燃焼停止時には消火動作と同時に高温ガス切替手段３１を輻射体２３側へ切り替えるするので、使用者は常に臭気が低い条件で燃焼停止でき、使用感が向上するようになる。
【００５６】
つまり、輻射暖房運転での燃焼停止時の条件は、燃焼開始時と同様に、燃焼部２１で生じた高温ガスを高温ガス切替手段３１で輻射体２３側へ切り替えた条件で消火するようになっていて、燃焼部２１で生じた燃焼排ガスの高温ガスは、送風手段２９からの空気流の力が働かないので、下方へ流れる力が働かず、その熱によるドラフトで、燃焼筒２２からさらに上方へ流れ、輻射体２３へ導かれるようになる。そして、燃焼部２１で生じた消火時の未燃ガスはその熱によるドラフトで燃焼筒２２内を上方へゆっくりと流れていく過程で殆ど燃焼完結するようになり、未燃ガスは室内に放出される量が少なく、さらに、放出された未燃ガスは機器２７の上方に排出されるようにしてあるので、使用者の居住空間にはあまり到達せず、使用者は臭気をあまり感じないで使用出来るようになる。
【００５７】
また、温風暖房運転での燃焼停止時の条件は、燃焼部２１で生じた高温ガスを高温ガス切替手段３１で温風吹出口２８側へ切り替えた条件で消火するが、消火動作と同時に高温ガス切替手段３１を輻射体２３側へ切り替えるようになっていて、燃焼部２１で生じた燃焼排ガスの高温ガスは、遅れながらも、燃焼筒２２周囲に送風手段２９からの空気流が流れなくなり、輻射暖房運転での燃焼停止時の条件に近い効果が得られ、使用者は臭気をあまり感じないで使用出来るようになり、使用感が大幅に向上する。
【００５８】
さらに、上記輻射体２３は、その採熱面２５の全体に空気浄化させる触媒機能を担持してあるので、輻射暖房運転時において、広い面を有する輻射体２３に触媒の担持された採熱面２５に沿って燃焼排ガスが上昇していき、その間燃焼排ガスは触媒の作用で浄化されるようになり、つまり、高温の広い面で長い時間燃焼排ガスが触媒面に接するようになり、触媒の効果を最も効果的に引き出すことができるようになり、空気浄化が促進される。
【００５９】
また、燃焼開始時および燃焼停止時の燃焼部２１で生じた未燃ガスも同様に、広い面を有する輻射体２３に触媒の担持された採熱面に沿って燃焼排ガスが上昇していき、その間燃焼排ガスは触媒の作用で浄化されるようになり、つまり、高温の広い面で長い時間燃焼排ガスが触媒面に接するようになり、触媒の効果を最も効果的に引き出すことができるようになり、臭気の低減を図ることが出来るようになる。
【００６０】
そして、高温ガス切替手段３１は、送風手段２７からの室内空気流の流れを切り替えて高温ガスの流れを輻射体２３側あるいは温風吹出口２８側に切り替える構成としてあり、簡単な構成で上記と同様快適性の高い暖房装置を実現することができる。
【００６１】
（実施例２）
図４は本発明の実施例２の暖房装置の制御ブロック図である。実施例１と同一部品は同一番号を付与して説明を省略する。
【００６２】
制御部４１は、輻射暖房運転の燃焼停止時にはそのまま消火動作し、温風暖房運転の燃焼停止時には高温ガス切替手段３１を輻射体２３側へ切り替えた後に消火動作する燃焼停止制御部４２を有する構成としてある。
【００６３】
そして、燃焼停止制御部４２は、輻射暖房運転の燃焼停止時にはそのまま消火動作し、温風暖房運転の燃焼停止時には高温ガス切替手段３１を輻射体２３側へ切り替えた後に消火動作するようにしてあるので、燃焼停止時は必ず輻射暖房運転の条件で消火するようになっていて、使用者は常に臭気が低い条件で燃焼開始でき、使用感が向上するようになる。
【００６４】
つまり、実施例１の輻射暖房運転での燃焼停止時の条件が常に得られ、実施例１よりさらに、使用者は燃焼停止時に臭気を感じないで使用出来るようになる。
【００６５】
なお上記実施例では、燃焼開始制御部３７を有する構成と、燃焼停止制御部３８を有する構成と、高温ガス切替手段３１を送風手段からの室内空気流の流れを切り替えるようにした構成と、輻射体２３の採熱面の全体あるいは一部に空気浄化させる触媒機能を担持した構成を同時に説明したが、これは個別にしてもよく、その他各部の構成も本発明の目的を達成する範囲であればその構成はどのようなものであってもよい。
【００６６】
【発明の効果】
以上説明したように本発明の暖房装置によれば、燃焼開始制御部により燃焼開始時は必ず高温ガス切替手段を輻射体側に切り替えた輻射暖房運転モードで着火動作を行うようにしているため、常に臭気が低い条件で燃焼を開始でき、使用感が向上する。
【００６７】
また、燃焼停止制御部により燃焼停止時は必ず高温ガス切替手段を輻射体側に切り替えた輻射暖房運転モードで消火動作を行うようにしているため、常に臭気が低い条件で燃焼を停止でき、使用感が向上する。
【図面の簡単な説明】
【図１】本発明の実施例１の暖房装置の輻射暖房運転時の断面図
【図２】同暖房装置の温風暖房運転時の断面図
【図３】同暖房装置の制御ブロック図
【図４】本発明の実施例２における暖房装置の制御ブロック図
【図５】従来の暖房装置の輻射暖房運転時の断面図
【図６】同従来の暖房装置の温風暖房運転時の断面図
【図７】同従来の暖房装置の制御ブロック図
【符号の説明】
２１  燃焼部
２３  輻射体
２５  採熱面
２８  温風吹出口
２９  送風手段
３１  高温ガス切替手段
３２  操作部
３５  制御部
３７  燃焼開始制御部
３８  燃焼停止制御部
【図１】
2004293860.tif 000003
【図２】
2004293860.tif 000004
【図３】
2004293860.tif 000005
【図４】
2004293860.tif 000006
【図５】
2004293860.tif 000007
【図６】
2004293860.tif 000008
【図７】
2004293860.tif 000009